(57)【要約】  本発明は携帯用端末機のネットワーク連結装置及びその方法に関するものであって、特に携帯用端末機における周辺装置のネットワーク情報が含まれたコードイメージを撮影して獲得したネットワーク情報を利用して周辺装置とネットワーク連結を行うようにする装置及び方法に関するものであり、携帯用端末機におけるネットワーク連結を行うための装置は、周辺端末機とのネットワークを自動的に設定する自動連結プログラムが実行されるとカメラモジュールを動作させて前記周辺端末機のネットワーク情報を獲得してネットワーク連結を行うように制御する制御部と、前記周辺端末機によって生成されたコードイメージを撮影するイメージ獲得部と、前記イメージ獲得部によって獲得されたコードイメージを分析して前記周辺端末機のネットワーク情報を獲得するコードイメージ分析部と、を含み、前記コードイメージは前記周辺端末機のネットワーク情報、コードイメージ生成情報、コードイメージを認識した後自動的に実行させるプログラムに対する情報のうち少なくともいずれか一つを含むことを特徴とする。
2014511630.tif 000002
【特許請求の範囲】
【請求項１】
携帯用端末機におけるネットワーク連結を行うための装置において、
コードイメージを介して獲得したネットワーク情報を利用して周辺端末機とのネットワーク連結を行うように構成された制御部と、
前記周辺端末機によって生成されたコードイメージを撮影するように構成されたイメージ獲得部と、
前記イメージ獲得部によって獲得されたコードイメージを分析して前記周辺端末機のネットワーク情報を獲得するように構成されたコードイメージ分析部と、を含み、
前記コードイメージは、
前記周辺端末機のネットワーク情報、コードイメージ生成情報、コードイメージを認識した後自動的に実行させる自動実行プログラムに対する情報のうち少なくともいずれか一つを含むことを特徴とする装置。
【請求項２】
前記制御部は、
前記獲得したネットワーク情報を利用して周辺端末機とのネットワーク連結を行った後又は行う前に、前記コードイメージに含まれた自動実行プログラム情報に当たるプログラムを自動的に実行させるように構成され、
前記自動実行プログラムは、実行モード変更のためのプログラム、設定変更のためのプログラム、ネットワークを連結した後実行されるプログラムのうち少なくともいずれか一つであることを特徴とする請求項１に記載の装置。
【請求項３】
前記制御部は、
前記コードイメージが許可されたプログラムで生成されたイメージである場合、前記周辺端末機とのネットワーク連結を行い、前記コードイメージが許可されたプログラムで生成されたイメージではない場合、前記周辺端末機とのネットワーク連結過程を中断するように構成されることを特徴とする請求項１に記載の装置。
【請求項４】
前記コードイメージ分析部は、
前記周辺装置でサポートされるネットワークインターフェースの種類、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙ、コードイメージ生成情報、自動実行プログラム情報のうち少なくともいずれか一つを獲得するように構成されることを特徴とする請求項１に記載の装置。
【請求項５】
携帯用端末機におけるネットワーク連結のためのコードイメージを生成するための装置において、
周辺端末機とのネットワークを自動的に設定する自動連結プログラムが実行されるとネットワーク情報を含むコードイメージを生成して出力するように構成された制御部と、
前記携帯用端末機のネットワーク情報と前記自動連結プログラムの情報を抽出するように構成された情報収集部と、
前記情報収集部によって抽出された自動連結プログラムの情報及びネットワーク情報を含むコードイメージを生成するように構成されたコードイメージ生成部と、を含み、
前記自動連結プログラム情報は、
前記自動連結プログラムの名称、バージョン情報のうち少なくともいずれか一つを含むことを特徴とする装置。
【請求項６】
前記コードイメージは、
前記携帯用端末機でサポートするネットワークインターフェースの種類、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙ、コードイメージ生成情報、コードイメージを認識した後自動的に実行される自動実行プログラム情報のうち少なくともいずれか一つを含み、
前記自動実行プログラム情報は、
前記実行モード変更のためのプログラム、設定変更のためのプログラム、ネットワークを連結した後実行されるプログラムのうち少なくともいずれか一つであり、実行ファイルの位置、ファイル名、実行順番のうちいずれか一つを含むことを特徴とする請求項５に記載の装置。
【請求項７】
前記コードイメージは、
１次元バーコード、２次元バーコード（ＱＲコード（登録商標））、文字列、数字列、カラーコードのうち少なくともいずれか一つの形式のコードであることを特徴とする請求項５に記載の装置。
【請求項８】
前記制御部は、
前記コードイメージを出力した後、一定時間の間ネットワーク連結が行われないと前記生成されたコードイメージの形式を変更して出力するように構成されることを特徴とする請求項５に記載の装置。
【請求項９】
携帯用端末機におけるネットワーク連結を行うための方法において、
周辺端末機とのネットワークを自動的に設定する自動連結プログラムが実行されるとイメージ獲得部を動作させる過程と、
前記動作されたイメージ獲得部を介してコードイメージを撮影して前記コードイメージに含まれたネットワーク情報を獲得する過程と、
前記獲得したネットワーク情報を利用して周辺端末機とのネットワーク連結を行う過程と、を含み、
前記コードイメージは、
前記周辺端末機のネットワーク情報、コードイメージ生成情報、コードイメージを認識した後自動的に実行させる自動実行プログラムに対する情報のうち少なくともいずれか一つを含むことを特徴とする方法。
【請求項１０】
前記携帯用端末機におけるネットワーク連結を行うための方法は、
前記獲得したネットワーク情報を利用して周辺端末機とのネットワーク連結を行った後又は行う前に、前記コードイメージに含まれた自動実行プログラム情報に当たるプログラムを自動的に実行させる過程を含み、
前記自動実行プログラムは、実行モード変更のためのプログラム、設定変更のためのプログラム、ネットワークを連結した後実行されるプログラムのうち少なくともいずれか一つであることを特徴とする請求項９に記載の方法。
【請求項１１】
前記携帯用端末機におけるネットワーク連結を行うための方法は、
前記コードイメージに含まれたネットワーク情報を獲得した後、許可されたプログラムで生成されたコードイメージであるのかを確認する過程と、
前記コードイメージが許可されたプログラムで生成されたイメージである場合、前記周辺端末機とのネットワーク連結を行う過程と、
前記コードイメージが許可されたプログラムで生成されたイメージではない場合、前記周辺端末機とのネットワーク連結過程を中断する過程と、を含むことを特徴とする請求項９に記載の方法。
【請求項１２】
前記動作されたイメージ獲得部を介してコードイメージを撮影して前記コードイメージに含まれたネットワーク情報を獲得する過程は、
前記周辺装置でサポートするネットワークインターフェースの種類、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙ、コードイメージ生成情報、自動実行プログラム情報のうち少なくともいずれか一つを獲得する過程であることを特徴とする請求項９に記載の方法。
【請求項１３】
携帯用端末機におけるネットワーク連結のためのコードイメージを生成するための方法において、
周辺端末機とのネットワークを自動的に設定する自動連結プログラムが実行されると前記携帯用端末機のネットワーク情報を抽出する過程と、
前記自動連結プログラム情報を抽出する過程と、
前記抽出した自動連結プログラム情報及びネットワーク情報を含むコードイメージを生成する過程と、
前記生成したコードイメージを出力する過程と、を含み、
前記自動連結プログラム情報は、
前記自動連結プログラムの名称、バージョン情報のうち少なくともいずれか一つを含むことを特徴とする方法。
【請求項１４】
前記コードイメージは、
前記携帯用端末機でサポートするネットワークインターフェースの種類、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙ、コードイメージ生成情報、自動実行プログラム情報のうち少なくともいずれか一つを含み、
前記自動実行プログラム情報は、
前記実行モード変更のためのプログラム、設定変更のためのプログラム、ネットワークを連結した後実行されるプログラムのうち少なくともいずれか一つであり、実行ファイルの位置、ファイル名、実行順番のうちいずれか一つを含むことを特徴とする請求項１３に記載の方法。
【請求項１５】
前記携帯用端末機におけるネットワーク連結のためのコードイメージを生成するための方法は、
前記コードイメージを出力した後、一定時間の間ネットワーク連結が行われないと前記生成されたコードイメージの形式を変更する過程と、
前記変更されたコードイメージを出力する過程と、を含むことを特徴とする請求項１３に記載の方法。
【発明の詳細な説明】
【技術分野】
【０００１】
本発明は、携帯用端末機のネットワーク連結装置及びその方法に関するものであり、特に携帯用端末機における周辺装置のネットワーク情報が含まれたコードイメージを撮影してネットワーク情報を獲得し、それを利用して周辺装置とネットワークＱＲコード（登録商標）連結を行うようにする装置及びその方法に関するものである。
【背景技術】
【０００２】
最近、携帯用端末機の急激な発達によって、特に無線音声通話及び情報交換が可能な携帯用端末機は生活の必需品となった。前記携帯用端末機の普及初期には、単に携帯することができて無線通話が可能なものとして認識されていたが、その技術の発達と無線インターネットの導入につれ前記携帯用端末機は単なる通話又は日程管理などの目的だけでなく、ゲーム、近距離通信を利用したリモコン、搭載されたデジタルカメラによる画像撮影、無線ＬＡＮ機能のようにその活用の範囲が次第に広くなっており、ユーザの欲求を充足させている。
【０００３】
前記無線ＬＡＮ機能とは、無線接続装置であるアクセスポイント（ＡＰ）が設置された場所を中心に一定距離以内に位置する携帯用端末機（例えば、ＰＤＡ、ノートブックコンピュータなど）にインターネットなどのような通信サービスを提供することである。初期無線ＬＡＮ電波の到達距離は１０ｍに過ぎなかったが、最近では５０ｍ〜数百ｍに至るまで大幅に拡張されており、前記無線ＬＡＮの伝送速度も同じく向上され、大容量のマルチメディアの送受信が可能となった。
【０００４】
携帯用端末は、無線ＬＡＮ機能を利用するためには周辺端末機とのネットワーク連結過程を行わなければならない。
【０００５】
前記ネットワーク連結過程を行うためには、無線ネットワームを検索して連結する過程、ネットワークアドレスを入力する過程、保安情報を設定する過程のような多数の手順を行わなければならない。
【０００６】
前記携帯用端末機は、一般的なコンピュータとは違って出力画面のサイズが限定されて画面に出力する内容が限られるため一般的なコンピュータより多くの手順を行わなければならない不便さが発生し、ＳＳＩＤ，ＩＰ  Ａｄｄｒｅｓｓ，  ＤＨＣＰ，ＤＮＳ，Ｓｕｂｎｅｔ，Ｇａｔｅｗａｙ，ＷＥＰ，ＡｄＨｏｃ，ＡＰなどのようなプロトコール又はパラメータを使用するため、ネットワーク設定し慣れていないユーザはその設定に難しさを感じるようになる。
【０００７】
また、ネットワークを設定する際には多くの文字と数字が結合された情報をユーザが直接入力することになるが、多数のキーを入力するとき誤字や脱字が入力されてしまい、ネットワーク連結に失敗する問題点も発生する。
【０００８】
それだけでなく、前記携帯用端末機のユーザはネットワーク連結に必要な保安情報を口頭伝達で確認するため、他人に保安情報が流出する問題点が発生する。
【発明の概要】
【発明が解決しようとする課題】
【０００９】
本発明は上述した問題点を解決するために導出されたものであり、本発明の目的は、周辺装置と連結するための携帯用端末機へのネットワーク連結過程を単純化するための装置及びその方法を提供することにある。
【００１０】
本発明の他の目的は、携帯用端末機におけるネットワーク情報を含むコードイメージを生成するための装置及びその方法を提供することにある。
【００１１】
本発明のまた他の目的は、携帯用端末機におけるコードイメージを撮影して周辺装置のネットワーク情報を獲得するための装置及びその方法を提供することにある。
【００１２】
本発明の更に他の目的は、携帯用端末機において、コードイメージを生成したプログラムに対する情報、コードイメージを認識した後（ネットワークを連結する前又は連結した後）実行するプログラムに対する情報を含むコードイメージを生成するための装置及びその方法を提供することにある。
【００１３】
本発明の更に他の目的は、携帯用端末機において、コードイメージを生成した後一定時間の間ネットワーク連結を行わずに既に生成したコードイメージの形を変更するための装置及びその方法を提供することにある。
【課題を解決するための手段】
【００１４】
上述した目的を達成するための本発明の第１見地によると、携帯用端末機におけるネットワーク連結を行うための装置は、周辺端末機とのネットワークを自動的に設定する自動連結プログラムが実行されるとイメージ獲得部を動作させて前記周辺端末機のネットワーク情報を獲得してネットワーク連結を行うように制御する制御部と、前記周辺端末機によって生成されたコードイメージを撮影するイメージ獲得部と、前記イメージ獲得部によって獲得されたコードイメージを分析して前記周辺端末機のネットワーク情報を獲得するコードイメージ分析部と、を含み、前記コードイメージは前記周辺端末機のネットワーク情報、コードイメージ生成情報、コードイメージを認識した後自動的に実行させるプログラムに対する情報のうち少なくともいずれか一つを含むことを特徴とする。
【００１５】
上述した目的を達成するための本発明の第２見地によると、携帯用端末機におけるネットワーク連結のためのコードイメージを生成するための装置は、周辺端末機とのネットワークを自動的に設定する自動連結プログラムが実行されるとネットワーク情報を含むコードイメージを生成して出力するように制御する制御部と、前記携帯用端末機のネットワーク情報と前記自動連結プログラムの情報を抽出する情報収集部と、前記情報収集部によって抽出された自動連結プログラムの情報及びネットワーク情報を含むコードイメージを生成するコードイメージ生成部と、を含み、前記自動連結プログラムの情報は前記自動連結プログラムの名称、バージョン情報のうち少なくともいずれか一つを含むことを特徴とする。
【００１６】
上述した目的を達成するための本発明の第３見地によると、携帯用端末機におけるネットワーク連結を行うための方法は、周辺端末機とのネットワークを自動的に設定する自動連結プログラムが実行されるとイメージ獲得部を動作させるステップと、前記動作されたイメージ獲得部を介してコードイメージを撮影して前記コードイメージに含まれたネットワーク情報を獲得するステップと、前記獲得されたネットワーク情報を利用して周辺端末機とのネットワーク連結を行う過程と、を含み、前記コードイメージは前記周辺端末機のネットワーク情報、コードイメージ生成情報、コードイメージを認識した後自動的に実行させるプログラムに対する情報のうち少なくともいずれか一つを含むことを特徴とする。
【００１７】
上述した目的を達成するための本発明の第４見地によると、携帯用端末機におけるネットワーク連結のためのコードイメージを生成するための方法は、周辺端末機とのネットワークを自動的に設定する自動連結プログラムが実行されると前記携帯用端末機のネットワーク情報を抽出するステップと、前記自動連結プログラムの情報を抽出するステップと、前記抽出した自動連結プログラムの情報及びネットワーク情報を含むコードイメージを生成するステップと、前記生成したコードイメージを出力するステップと、を含み、前記自動連結プログラムの情報は前記自動連結プログラムの名称、バージョン情報のうち少なくともいずれか一つを含むことを特徴とする。
【図面の簡単な説明】
【００１８】
【図１】本発明によるネットワーク連結過程を行う携帯用端末機の構成を示すブロック図である。
【図２】本発明の好ましい一実施例による携帯用端末機の連結モード過程を示すフローチャートである。
【図３】本発明の好ましい一実施例による周辺装置で連結待機モードを行う過程を示すフローチャートである。
【図４Ａ】本発明による携帯用端末機と周辺装置とのネットワーク連結過程を示す図である。
【図４Ｂ】本発明による携帯用端末機と周辺装置とのネットワーク連結過程を示す図である。
【図５】本発明の好ましい一実施例による携帯用端末機におけるコンピュータとのネットワーク連結を行う過程を示す図である。
【図６】本発明の好ましい一実施例による携帯用端末機におけるテレビとのネットワーク連結を行う過程を示す図である。
【図７】本発明の好ましい一実施例による携帯用端末機における周辺の携帯用端末機とアドホックネットワークを形成する過程を示す図である。
【図８】本発明の好ましい他の実施例による携帯用端末機の連結モード過程を示すフローチャートである。
【発明を実施するための形態】
【００１９】
以下、本発明の好ましい実施例を添付した図面を参照して詳細に説明する。そして、本発明を説明するに当たって、関連する公知機能或いは構成に対する具体的な説明が本発明の要旨を不明確にする恐れがあると判断される場合、その詳細な説明を省略する。
【００２０】
以下の説明では、周辺装置で生成したコードイメージから獲得したネットワーク情報でネットワーク連結を行うことで、携帯用端末機のネットワーク連結過程を単純化するための装置及びその方法について説明する。
【００２１】
図１は、本発明によるネットワーク連結過程を行う携帯用端末機の構成を示すブロック図である。
【００２２】
前記図１を参照すると、前記携帯用端末機は制御部１００、コードイメージ生成部１０２、コードイメージ分析部１０６、メモリ部１１０、入力部１１２、表示部１１４及び通信部１１６を含んで構成されてもよい。また、前記コードイメージ生成部１０２は情報収集部１０４を更に含んで構成されてもよく、前記コードイメージ分析部１０６はイメージ獲得部１０８を更に含んで構成されてもよい。
【００２３】
前記携帯用端末機の制御部１００はコードイメージ生成部１０２を制御してネットワーク連結を待機する動作を行ってもよく、前記コードイメージ分析部１０６を制御してネットワーク連結を行う動作を行ってもよい。
【００２４】
前記ネットワーク連結を待機する動作は、前記携帯用端末機のネットワーク設定に関する情報を含むコードイメージとして生成した後周辺装置によるネットワーク連結を待機することで、前記制御部１００はコードイメージを生成するためのプログラムが実行されるとネットワーク連結を待機するモードに進入するように処理する。
【００２５】
次に、前記制御部１００は前記携帯用端末機のネットワーク情報を獲得してそれを含むコードイメージを生成するように処理する。前記制御部１００は自らが使用し得るネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク設定に関する情報を前記コードイメージに含ませるように処理する。
【００２６】
また、前記制御部１００は前記生成されたコードイメージの形を一定時間ごとに変更し、ネットワーク連結が遅延されると新たなネットワーク連結を開始するように処理する。
【００２７】
前記コードイメージ生成部１０２は、前記制御部１００の制御を受けてネットワーク設定情報を含むコードイメージを生成する。この際、前記コードイメージ生成部１０２は１次元バーコード、２次元バーコード（ＱＲコード（登録商標））、文字列、数字列、カラーコードなどのようなコードイメージを生成し、前記ネットワーク情報以外にコードイメージ生成情報（生成プログラムの名称、バージョン情報など）及びコードイメージを認識した後（周辺装置との連結を行う前又は行った後）自動的に実行させるプログラム（自動実行プログラム）に対する情報（プログラムの名称、プログラムの位置、ファイル名、実行順番、バージョン情報など）を一緒に含ませてもよい。
【００２８】
前記コードイメージ生成部１０２の情報収集部１０４は、前記コードイメージ生成部１０２の制御を受けて前記携帯用端末機のネットワーク情報、自動実行プログラムに対する情報及びコードイメージ生成情報を収集する。
【００２９】
前記ネットワーク連結を行う動作は前記周辺装置のコードイメージを分析して前記周辺装置とネットワーク連結を行なうことであり、前記制御部１００はコードイメージを分析するためのプログラムが実行されるとネットワーク設定に関する待機を含むコードイメージ撮影モードに進入するように処理する。
【００３０】
それによって、前記制御部１００は前記コードイメージを撮影してネットワーク連結を行う周辺装置のネットワーク情報を獲得し、獲得した情報でネットワーク連結を行うように処理する。加えて、前記制御部１００は前記コードイメージに含まれた自動実行プログラムの情報（プログラムの名称、プログラムの位置、ファイル名、実行順番など）を利用して前記コードイメージを撮影した携帯用端末機の設定や実行モードを変更することができる。この際、前記制御部１００は前記周辺装置とネットワーク連結を行う前又はネットワーク連結を行った後、自動実行プログラムを実行して携帯用端末機の設定又は実行モードを変更してもよい。
【００３１】
前記コードイメージ分析部１０６は、前記制御部１００の制御を受けて周辺装置で生成されたコードイメージを確認してネットワーク連結に必要な情報を獲得する。加えて、前記コードイメージ分析部１０６は前記コードイメージに含まれたコードイメージ生成情報（生成プログラムの名称及びプログラム情報のバージョンなど）及びコードイメージを獲得した後自動的に実行させるプログラムに対する情報（プログラムの名称、プログラムの位置、ファイル名、実行順番、バージョン情報など）を獲得する。
【００３２】
前記コードイメージ分析部１０６のイメージ獲得部１０８は、前記コードイメージ分析部１０６の制御を受けてネットワーク情報を含むコードイメージを撮影するものであって、カメラモジュールで構成されてもよい。この際、前記コードイメージ獲得部１０８はユーザによって撮影ボタンを入力されて前記コードイメージを撮影するか、又は一定時間間隔に連続した静止画像を獲得する機能を介して自動的にコードイメージを撮影することができる。
【００３３】
前記携帯用端末機のメモリ部１１０は、ロム、ラム、フラッシュロムで構成される。前記ロムは前記制御部１００、前記コードイメージ生成部１０２及び前記コードイメージ分析部１０６の処理及び制御のためのプログラムのマイクロコードと各種参照データを貯蔵する。
【００３４】
前記ラムは前記制御部１００のウォーキングメモリであって、各種プログラムを行う際に発生する一時的なデータを貯蔵する。また、前記フラッシュロムは、電話番号簿、発信メッセージ、受信メッセージ及びユーザのタッチ入力地点の情報のような更新可能な各種保管用データを貯蔵する。それだけでなく、前記メモリ部１１０は本発明によって前記コードイメージ生成部１０２によって生成されたコードイメージ、前記コードイメージ分析部１０６によって分析されたネットワーク情報、自動実行プログラムに対する情報及びコードイメージの生成に必要な情報を貯蔵する。
【００３５】
前記入力部１１２は、０〜９の数字キーボタン、メニュボタン、キャンセルボタン、確認ボタン、通話ボタン、終了ボタン、インターネットアクセスボタン、ナビゲーションキー（又は方向キー）ボタン及び文字入力キーなど複数の機能キーを具備し、ユーザが押すキーに対応するキー入力データを前記制御部１００に提供し、本発明によって前記コードイメージを生成するための入力データ及び前記コードイメージを分析するための入力データを発生させる。
【００３６】
前記表示部１１４は前記携帯用端末機が動作する途中に発生する状態情報、制限された数の文字、多量の動画及び静止画像などをディスプレイし、本発明によって前記コードイメージ、前記コードイメージを介して獲得したネットワーク情報を出力する。前記表示部１１４はカラー液晶ディスプレイ装置（ＬＣＤ）、ＡＭＯＬＥＤなどを使用してもよく、前記表示部１１４はタッチ入力装置を具備してタッチ入力方式の携帯用端末機に適用する場合入力装置として使用してもよい。
【００３７】
前記通信部１１６は、アンテナ（図示せず）を介して入出力されるデータの無線信号を送受信処理する機能を行う。例えば、送信である場合、送信するデータをチャネルコーディング及び拡散した後ＲＦ処理して送信する機能を行い、受信である場合、受信されたＲＦ信号を基底帯域信号に変換して前記基底帯域信号を逆拡散及びチャネル復号してデータを復元する機能を行う。加えて、本発明によれば、前記通信部１１６はブルートゥース、無線ＬＡＮ、赤外線インターフェースなどを含むネットワークインターフェースを含む。
【００３８】
前記ではネットワーク連結を待機する動作とネットワーク連結を行う動作を全て行う携帯用端末機について説明したが、前記携帯用端末機がネットワーク連結を待機する動作のみを行う場合、前記携帯用端末機の構成にコードイメージ分析部１０６の構成要素は含ませなくてもよい。逆に、前記携帯用端末機がネットワーク連結動作のみを行う場合、前記携帯用端末機の構成にコードイメージ生成部１０２の構成要素は含まれなくてもよい。
【００３９】
前記コードイメージ生成部１０２及び前記コードイメージ分析部１０６の役割は前記携帯用端末機の制御部１００によって行われてもよいが、本発明でそれを別途に構成して図示したのは説明の便宜上の例示的な構成であって決して本発明の範囲を制限するものではなく、当業者であれば本発明の範囲内で多様な変形構成が可能であることを理解できるはずである。例えば、これら全てを前記制御部１００で処理するように構成してもよい。
【００４０】
図２は、本発明の好ましい一実施例による携帯用端末機の連結モード過程を示すフローチャートである。
【００４１】
前記図２を参照すると、前記連結モードとは周辺機器のネットワーク情報を確認して周辺機器との連結を試みる動作をいう。
【００４２】
前記連結モードを行うための携帯用端末機は、まずステップ２０１で周辺装置とネットワーク連結を行うのかを確認する。ここで、前記ネットワーク連結を行うということは、前記携帯用端末機が連結モードで動作することを意味する。
【００４３】
もし、前記ステップ２０１で周辺装置とネットワーク連結を行わないことを確認した場合、前記携帯用端末機はステップ２２３に進行し、該当機能（例えば、待機モード）を行う。
【００４４】
一方、前記ステップ２０１で周辺装置とネットワーク連結を行うことを確認した場合、前記携帯用端末機はステップ２０３に進行してカメラモジュールを動作させた後、ステップ２０５に進行してネットワーク連結を行う周辺装置の画面に出力されたコードイメージを撮影する。この際、前記コードイメージは前記周辺装置のネットワーク情報とコードイメージ生成情報及び周辺装置との連結を行った後自動的に実行させるプログラムに対する情報を含むコードイメージであって、１次元バーコード、２次元バーコード（ＱＲコード（登録商標））、文字列、数字列、カラーコードなどを含む。加えて、前記コードイメージは下記図８の内容のように周辺装置と連結する前に自動的に実行させるプログラムに対する情報を含んでもよい。
【００４５】
前記コードイメージ生成情報は周辺装置でネットワーク連結を行うために生成したコードイメージが許可されたプログラムで生成されたものであるのかを確認するためのものであって、コードイメージを生成したプログラム名、プログラムのバージョン情報を含む。前記携帯用端末機は、前記コードイメージ生成情報を利用してネットワーク連結を行う周辺装置で生成されていないコードイメージの情報でネットワークイメージを試みることを防止することができる。また、前記周辺装置のネットワーク情報は、周辺装置のネットワーク設定情報として周辺装置で使用されるネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク設定に関する情報を含む。
【００４６】
前記のように周辺装置のコードイメージ撮影した携帯用端末機はステップ２０７に進行して前記撮影したコードイメージを分析した後、ステップ２０９に進行してコードイメージ生成情報を獲得する。
【００４７】
次に、前記携帯用端末機ステップ２１１に進行し、前記撮影したコードイメージに含まれたネットワーク設定情報を確認した後、ステップ２１３に進行して前記ステップ２０９で獲得したコードイメージ生成情報を利用して前記撮影したコートイメージが許可されたプログラムで生成されたものであるのかを確認する。
【００４８】
もし、前記ステップ２１３で許可されていないプログラムで生成されたコードイメージを撮影したことを確認した場合、前記携帯用端末機はステップ２２５に進行してネットワーク連結を終了した後、本アルゴリズムを終了する。
【００４９】
一方、前記ステップ２１３で許可されたプログラムで生成されたコードイメージを撮影したことを確認した場合、前記携帯用端末機はステップ２１５に進行してネットワーク連結に使用するネットワークインターフェースを選択する。この際、前記携帯用端末機は前記ステップ２１１で獲得した周辺装置のネットワーク情報を確認し、周辺装置のネットワークインターフェースと同じネットワークインターフェースを選択する。例えば、赤外線ネットワークインターフェースと無線ＬＡＮネットワークインターフェースを使用する携帯用端末機が前記コードイメージを分析して周辺装置がブルートゥース、無線ＬＡＮネットワークインターフェースを使用していることを確認した場合、無線ＬＡＮネットワークインターフェースを選択して周辺装置と連結しようとする。
【００５０】
次に、前記携帯用端末機はステップ２１７に進行し、前記ステップ２１５で選択したネットワークインターフェースを活性化した後、ステップ２１９に進行してネットワーク連結環境を設定する。この際、前記携帯用端末機は無線ネットワークを検索して連結するステップ、ネットワームアドレスを入力するステップ、保安設定ステップなどを行ってネットワーク連結環境を設定する。
【００５１】
次に、前記携帯用端末機はステップ２２１に進行して周辺装置へのネットワークアクセスを行った後、本アルゴリズムを終了する。
【００５２】
この際、前記携帯用端末機はコードイメージを分析し、自動実行プログラムに対する情報が存在する場合周辺装置とネットワーク連結を行った後、自動実行プログラムを実行させる。
【００５３】
図３は、本発明の好ましい一実施例による周辺装置で連結待機モードを行う過程を示すフローチャートである。
【００５４】
前記図３を参照すると、前記周辺装置は、まずステップ３０１で前記装置のネットワーク情報をコードイメージとして提供する連結待機モードを開始する。
【００５５】
次に、前記周辺装置はステップ３０３に進行してネットワーク情報を抽出する。ここで、前記ネットワーク情報は前記装置で使用するネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク設定に関する情報を含む。
【００５６】
次に、前記周辺装置は、ステップ３０５において、コードイメージが許可されたプログラムで生成されたものであるのかを確認するために使用されるコードイメージ生成情報を抽出する。その後、ステップ３０７に進行して前記抽出したコードイメージ生成情報とネットワーク情報を含むコードイメージを生成する。また、前記周辺装置はネットワークを連結する前又は連結した後自動的に実行されるプログラムに対する情報（プログラムの名称、プログラムの位置、ファイル名、実行順番、バージョン情報など）を前記コードイメージに含ませてもよい。
【００５７】
次に、前記周辺装置はステップ３０９に進行して出力画面にコードイメージを出力した後、ステップ３１１に進行して携帯用端末機とネットワーク連結過程を行う。ここで、前記携帯用端末機は前記出力されたコードイメージを撮影して前記周辺装置のネットワーク設定情報を抽出することができ、前記抽出したネットワーク設定情報を利用して周辺装置とのネットワーク連結過程を行うことができる。
【００５８】
即ち、前記携帯用端末機のユーザは前記周辺装置に対するネットワーク検索過程、ネットワークアドレス入力過程及び保安設定過程などのような動作を省略し、そのまま周辺装置との連結を行ってもよい。
【００５９】
次に、前記周辺装置は本アルゴリズムを終了する。
【００６０】
図４Ａ及び図４Ｂは、本発明による携帯用端末機と周辺装置とのネットワーク連結過程を示す図である。
【００６１】
前記図４Ａ及び図４Ｂを参照すると、前記携帯用端末機のユーザが周辺装置とネットワーク連結を行おうとする場合、前記携帯用端末機のユーザは前記周辺装置で使用するネットワークインターフェースの種類とネットワーク連結に必要なアドレス情報、保安情報を直接設定しなければならない。前記のような情報をユーザが認知できない場合、ネットワーク連結を行うことができなくなる。
【００６２】
それによって、前記周辺装置はネットワーク環境設定に必要なネットワーク情報を含むコードイメージを生成する。
【００６３】
前記コードイメージは図４Ａの（ａ）のように２次元バーコード形式４０１に生成されてもよく、その他１次元バーコード、文字列、数字列、カラーコードなどを結合した形式で生成してもよい。
【００６４】
前記コードイメージは、周辺装置でネットワーク連結を行うために生成したコードイメージであることを確認するために使用するコードイメージ生成情報（コードイメージを生成したプログラム名、プログラムのバージョン情報）、周辺装置で使用するネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク情報を含む。また、前記コードイメージはネットワークを連結する前又は連結した後自動的に実行されるプログラムに対する情報を含んでもよく、前記周辺装置は前記生成したコードイメージを出力画面に出力するように処理する。
【００６５】
前記ように周辺装置によってコードイメージが出力される場合、前記携帯用端末機は図４Ａの（ｂ）のように出力されたコードイメージを撮影する。
【００６６】
この際、前記携帯用端末機はユーザによって撮影ボタンを入力されて前記コードイメージを撮影するか、又は一定時間間隔に連続した静止画像を獲得する機能を介して自動的にコードイメージを撮影することができる。
【００６７】
上述したように、前記コードイメージを撮影した携帯用端末機は周辺装置に対するネットワーク情報を獲得することができる。即ち、周辺装置に使用するネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク設定に関する情報を確認し、図４Ａの（ｃ）のように周辺装置と連結し得るネットワークインターフェースを活性化する。次に、前記携帯用端末機はネットワーク連結環境を設定した後、図４Ａの（ｄ）のように周辺装置との連結過程を行う。
【００６８】
また、前記携帯用端末機は前記コードイメージでネットワークを連結した後自動的に実行されるプログラムに対する情報を確認する場合、図４Ｂの（ｅ）のようにネットワークを連結した後周辺装置と同期化を行うことができる同期化プログラムを実行し、連絡先、メッセージ、住所録などの同期化過程を行ってもよい。もし、前記携帯用端末機が前記コードイメージでネットワークを連結する前に自動的に実行されるプログラムに対する情報を確認する場合、前記プログラムを介してネットワークを連結する前に前記携帯用端末機の実行モードを変更するか同期化プログラムを予め実行して同期化過程を待機してもよい。
【００６９】
図５は、本発明の好ましい一実施例による携帯用端末機におけるコンピュータとのネットワーク連結を行う過程を示す図である。
【００７０】
前記図５を参照すると、前記コンピュータ５０５は無線ＬＡＮネットワークインターフェースを使用し、ネットワークを連結した後同期化プログラムを行う。前記コンピュータ５０５は、ネットワークを連結するための多様なプロトコールを使用してもよい。
【００７１】
まず、前記コンピュータ５０５は自動連結プログラムを実行することで連結待機モード５１０に進入した後、無線ＬＡＮネットワークインターフェースを動作５１２させる。ここで、前記自動連結プログラムとは前記携帯用端末機５０１とコンピュータ５０５との間のネットワークを自動的に設定して連結するプログラムをいう。
【００７２】
次に、前記コンピュータ５０５は自動連結プログラムに対する情報とネットワーク情報を獲得５１４した後、前記獲得したネットワーク情報と自動連結プログラムに対する情報をコードイメージで生成５１６する。ここで、前記コンピュータ５０５は前記コードイメージが許可されたプログラムで生成されたのかを示すために前記自動連結プログラムの情報（例えば、プログラム名、バージョン情報）をコードイメージに追加する。
【００７３】
また、前記コンピュータ５０５はネットワークを連結した後で同期化プログラムを実行することで、同期化プログラムを実行するという情報をコードイメージに一緒に追加してもよい。
【００７４】
前記のようにコンピュータ５０５のネットワーク情報、コードイメージを生成したプログラムの情報及び連結した後実行するプログラムに対する情報を含むコードイメージを生成したコンピュータ５０５は、コードイメージを出力画面に出力５１８するように処理する。
【００７５】
それによって、前記コンピュータ５０５とネットワーク連結を行おうとする携帯用端末機５０１は、コンピュータ５０５のネットワーク情報を確認するための自動連結プログラムを実行５２０した後、前記コンピュータ５０５によって生成されたコードイメージを撮影するためのカメラモジュールを動作５２２させる。
【００７６】
次に、前記携帯用端末機５０１は動作されたカメラモジュールを介してコードイメージを撮影５２４した後、撮影されたコードイメージを分析５２６する。前記コードイメージを分析するために前記携帯用端末機はコードイメージ生成情報、ネットワーク情報、自動連結プログラム情報などを利用してもよい。この際、前記携帯用端末機５０１はコードイメージを生成したコンピュータ５０５の自動連結プログラム名とバージョン、無線ＬＡＮに当たるネットワーク情報（インターフェース情報）及びネットワークを連結した後自動的に実行するプログラム（例えば、同期化プログラム）に対する情報を獲得する。
【００７７】
次に、前記携帯用端末機５０１は前記連結しようとするコンピュータ５０５で無線ＬＡＮに当たるネットワークインターフェースが使用可能であることを確認することで、自らも無線ＬＡＮネットワークインターフェースを使用すべきであると判断５２８する。
【００７８】
次に、前記携帯用端末機５０１は無線ＬＡＮインターフェースを利用して前記コンピュータ５０５の無線ＬＡＮインターフェースがアクセスしたＡＰ５０３にアクセス５３０する過程を行った後、前記ＡＰ５０３連結を介して前記コンピュータ５０５と連結５３２を試みる。
【００７９】
次に、前記携帯用端末機５０１は前記コードイメージ分析を介して前記コンピュータ５０５がネットワークを連結した後同期化プログラムを実行するを確認し、自らの同期化プログラムを実行５３４する。
【００８０】
次に、前記携帯用端末機５０１は前記実行した同期化プログラムでコンピュータ５０５とプログラム連動過程（住所録同期化、メッセージ同期化）５３６を行う。次に、前記携帯用端末機５０１と前記コンピュータ５０５は本発明によるアルゴリズムを終了する。
【００８１】
図６は、本発明の好ましい一実施例による携帯用端末機におけるテレビとのネットワーク連結を行う過程を示す図である。
【００８２】
前記図６を参照すると、前記テレビ６０３は無線ＬＡＮとイーサネット（登録商標）ネットワークインターフェースをサポートすると仮定する。他の例として、前記テレビは多様な種類のネットワークインターフェースをサポートしてもよい。
【００８３】
まず、前記テレビ６０３は自動連結プログラムを実行することで連結待機モードに進入６１０した後、無線ＬＡＮネットワークインターフェースを動作６１２させる。ここで、前記自動連結プログラムとは前記携帯用端末機６０１とテレビ６０３との間のネットワークを自動的に設定して連結するプログラムをいう。
【００８４】
次に、前記テレビ６０３は自動連結プログラムに対する情報とテレビ６０３自らのネットワーク情報（無線ＬＡＮとイーサネット（登録商標）ネットワークインターフェースをサポートする情報）を獲得６１４した後、前記獲得したネットワーク情報と自動連結プログラムに対する情報をコードイメージで表現６１６する。
【００８５】
この際、前記テレビ６０３は前記確認したネットワーク情報のうちネットワークに連結されているネットワークインターフェースを確認し、前記インターフェースに接続されたＡＰ情報を含むコードイメージを生成する。一例に、前記テレビ６０３によって生成されたコードイメージには下記＜表１＞のようなネットワーク情報が含まれてもよい。
【００８６】
【表１】
2014511630.tif 000003
【００８７】
即ち、前記テレビ６０３は無線ＬＡＮとイーサネット（登録商標）ネットワークインターフェースのうち無線ＬＡＮを介して「ＳａｍｓｕｎｇＨｏｍｅ」に当たるネットワークグループに連結されていることを確認し、ネットワーク連結に必要なＧａｔｅｗａｙ，Ｎｅｔｍａｓｋ，ＤＮＳ，ＩＰ  Ａｄｄｒｅｓｓ，ＷＥＰを確認してコードイメージに含ませる。
【００８８】
次に、前記テレビ６０３は前記生成したコードイメージを出力画面の一部に出力６１８するように処理する。
【００８９】
それによって、前記テレビ６０３とネットワーク連結を行おうとする携帯用端末機６０１は、テレビ６０３のネットワーク情報を確認するための自動連結プログラムを実行６２０した後、前記テレビ６０３によって生成されたコードイメージを撮影するためのカメラモジュールを動作６２２させる。
【００９０】
次に、前記携帯用端末機６０１は動作されたカメラモジュールを介してコードイメージを撮影６２４した後、撮影されたコードイメージを分析６２６して前記テレビ６０３のネットワーク情報を獲得する。この際、前記携帯用端末機６０１はコードイメージを生成したテレビ６０２自動連結プログラム名とバージョンを確認し、許可されたプログラムで生成されたコードイメージであるのかを先に確認してもよい。
【００９１】
もし、前記コードイメージが許可されたプログラムで生成されたことを確認する場合、前記携帯用端末機６０１は現在テレビ６０３でネットワーク連結を行っているインターフェースと同じ無線ＬＡＮインターフェースを動作６２８させた後、無線ネットワークアクセスを試みる６３０。この際、前記携帯用端末機６０１は前記コードイメージから獲得したＳＳＩＤとＷＥＰ情報を利用してネットワーク連結を試みる。
【００９２】
次に、前記携帯用端末機６０１はネットワーク接続が成功したのかを確認した後、前記ネットワーク接続が成功した場合、前記コードイメージに含まれたＩＰ  Ａｄｄｒｅｓｓを利用して前記テレビ６０３にネットワークアクセス成功のお知らせを伝送６３４する。
【００９３】
それによって、前記テレビ６０３は前記携帯用端末機６０１からネットワークアクセス成功のお知らせを受信６３６し、プログラム連動過程を行う６４０。
【００９４】
もし、前記携帯用端末機６０１から一定時間（１０秒の臨界値）の間ネットワークアクセス成功のお知らせを受信しない場合６３８、前記テレビ６０３は既に生成したコードイメージの形を変更するようネットワークアクセス過程を新たに始めるように処理する。次に、前記携帯用端末機６０１と前記テレビ６０３は本発明によるアルゴリズムを終了する。
【００９５】
図７は、本発明の好ましい一実施例による携帯用端末機における周辺の携帯用端末機とアドホックネットワークを形成する過程を示す図である。
【００９６】
前記図７を参照すると、前記周辺の携帯用端末機７０３は、無線ＬＡＮとブルートゥースネットワークインターフェースをサポートしており、かつ、近くの友人と無線連結を介してファイルを共有したいが、無線ネットワークが存在しないか保安性の低いＡＰに接続することを望まない状況を仮定する。他の例として、前記携帯用端末機７０３は多様な種類のネットワークインターフェースをサポートしてもよい。
【００９７】
まず、前記周辺の携帯用端末機７０３は自動連結プログラムを実行することで連結待機モードに進入７１０した後、無線ＬＡＮネットワークインターフェースを動作７１２させる。ここで、前記自動連結プログラムとは前記周辺の携帯用端末機７０３と他の携帯用端末機７０１との間のネットワークを自動的に設定して連結するプログラムをいう。
【００９８】
次に、前記周辺の携帯用端末機７０３は自動連結プログラムに対する情報と自らのネットワーク情報（無線ＬＡＮとブルートゥースネットネットワークインターフェースをサポートする情報）を獲得７１４した後、アドホックネットワークを形成７１６する。この際、前記携帯用端末機７０３は下記＜表２＞のようなアドホックネットワーク情報を確認する。
【００９９】
【表２】
2014511630.tif 000004
【０１００】
即ち、前記周辺の携帯用端末機７０３は無線ＬＡＮとブルートゥースネットワークインターフェースのうち無線ＬＡＮを介して「ＳａｍｓｕｎｇＡｄＨｏｃ」に当たるネットワークグループに連結されていることを確認し、ネットワーク連結に必要なＧａｔｅｗａｙ，Ｎｅｔｍａｓｋ，ＤＮＳ，ＩＰ  Ａｄｄｒｅｓｓ，ＷＥＰを確認する。
【０１０１】
次に、前記周辺の携帯用端末機７０３は前記形成したアドホックネットワーク情報を含むコードイメージを生成７１８した後、前記生成したコードイメージを出力画面に出力７２０するように処理する。
【０１０２】
それによって、前記周辺の携帯用端末機７０３とネットワーク連結を行おうとする携帯用端末機７０１は、前記周辺の携帯用端末機７０３のネットワーク情報を確認するための自動連結プログラムを実行７２２した後、前記周辺の携帯用端末機７０３によって生成されたコードイメージを撮影するためのカメラモジュールを動作７２４させる。
【０１０３】
次に、前記携帯用端末機７０１は動作されたカメラモジュールを介してコードイメージを撮影７２６した後、撮影されたコードイメージを分析して前記周辺の携帯用端末機のアドホックネットワーク情報を獲得７２８する。この際、前記携帯用端末機はコードイメージを生成した周辺の携帯用端末機の自動連結プログラム名とバージョンを確認して許可されたプログラムで生成されたコードイメージであるのかを先に確認してもよく、前記コードイメージを分析して周辺の携帯用端末機７０３が無線ＬＡＮインターフェースを利用して「ＳａｍｓｕｎｇＡｄＨｏｃ」に当たるネットワークグループに連結されていて１９２．１６８．０．１に当たるＤＮＳ、ゲートウェイとＩＰ  Ａｄｄｒｅｓｓを使用し、Ｎｅｔｍａｓｋとして２５５．２５５．２５５．０を使用することを確認する。また、前記携帯用端末機７０１は周辺の携帯用端末機７０３のＷＥＰとしてＳｕｗｏｎを使用することを確認し、保安連結の際前記確認したＷＥＰ情報を使用してもよい。
【０１０４】
もし、前記コードイメージが許可されたプログラムで生成されたことを確認する場合、前記携帯用端末機７０１は現在周辺の携帯用端末機７０３でアドホックネットワーク連結を行っているインターフェースと同じ無線ＬＡＮインターフェースを動作７３０させた後、無線ネットワークアクセスを試みる７３２。この際、前記携帯用端末機７０１は前記コードイメージから獲得したＳＳＩＤとＷＥＰ情報を利用してネットワーク連結を試みる。
【０１０５】
次に、前記携帯用端末機７０１はネットワーク接続が成功したのかを確認した後、前記ネットワーク接続が成功した場合、前記コードイメージに含まれたＩＰ  Ａｄｄｒｅｓｓを利用して前記周辺の携帯用端末機７０３にネットワークアクセス成功のお知らせを伝送７３６する。
【０１０６】
それによって、前記周辺の携帯用端末機７０３は前記携帯用端末機７０１からネットワークアクセス成功のお知らせを受信７３８し、プログラム連動過程を行う７４２。
【０１０７】
もし、前記携帯用端末機７０１から一定時間（１０秒の臨界値）の間ネットワークアクセス成功のお知らせを受信しない場合７４０、前記周辺の携帯用端末機７０３は既に生成したコードイメージの形を変更するためにネットワークアクセス過程を新たに開始するように処理する。前記動作７４２において、前記周辺の携帯用端末機７０３は前記携帯用端末機７０１との連結を行うことができる。
【０１０８】
次に、前記周辺の携帯用端末機７０３と前記携帯用端末機７０１は本発明によるアルゴリズムを終了する。
【０１０９】
図８は、本発明の好ましい他の実施例による携帯用端末機の連結モード過程を示すフローチャートである。
【０１１０】
前記図８を参照すると、前記連結モードとは周辺機器のネットワーク情報を確認して周辺機器との連結を試みる動作をいう。
【０１１１】
前記連結モードを行うための携帯用端末機は、まずステップ８０１で周辺装置とネットワーク連結を行うのかを確認する。ここで、前記ネットワーク連結を行うということは、前記携帯用端末機が連結モードで動作することを意味する。
【０１１２】
もし、前記ステップ８０１で周辺装置とネットワーク連結を行わないことを確認した場合、前記携帯用端末機はステップ８１９に進行し、該当機能（例えば、待機モード）を行う。
【０１１３】
一方、前記ステップ８０１で周辺装置とネットワーク連結を行うことを確認した場合、前記携帯用端末機はステップ８０３に進行してカメラモジュールを動作させた後、ステップ８０５に進行してネットワーク連結を行う周辺装置の画面に出力されたコードイメージを撮影する。この際、前記コードイメージは前記周辺装置のネットワーク情報とコードイメージ生成情報及びコードイメージを分析した後自動的に実行させるプログラムに対する情報を含み、前記コードイメージでは１次元バーコード、２次元バーコード（ＱＲコード（登録商標））、文字列、数字列、カラーコードなどを含む。
【０１１４】
前記コードイメージ生成情報は周辺装置でネットワーク連結を行うために生成したコードイメージが許可されたプログラムで生成されたものであるのかを確認するためのものであって、コードイメージを生成したプログラム名、プログラムのバージョン情報を含む。前記携帯用端末機は、前記コードイメージ生成情報を利用してネットワーク連結を行う周辺装置で生成されていないコードイメージの情報でネットワークイメージを試みることを防止することができる。また、前記周辺装置のネットワーク情報は、周辺装置のネットワーク設定情報として周辺装置で使用するネットワークインターフェースの種類（例えば、Ｅｔｈｅｒｎｅｔ（登録商標），ＷｉＦｉ（登録商標），Ｂｌｕｅｔｏｏｔｈ（登録商標）など）、ＩＰ  Ａｄｄｒｅｓｓ，Ｇａｔｅｗａｙ，Ｎｅｔｍａｓｋ，ＤＮＳ，接続されたＳＳＩＤ，ＷＥＰ  ｋｅｙなどのようなネットワーク設定に関する情報を含む。また、前記コードイメージを分析した後自動的に実行させるプログラムに対する情報は、前記周辺装置とのネットワークを連結する前又は連結した後に実行されるプログラムであって、前記携帯用端末機の設定、実行モードを変更するためのプログラム及び周辺装置との連動のためのプログラムであってもよい。
【０１１５】
次に、前記携帯用端末機はステップ８０７に進行して撮影したコードイメージを分析した後、ステップ８０９に進行してコードイメージに含まれた自動実行プログラムに対する情報を獲得する。
【０１１６】
次に、前記携帯用端末機はステップ８１１に進行してコードイメージに含まれたネットワーク情報を獲得した後、ステップ８１３に進行して自動実行プログラムを実行する。この際、周辺装置は前記携帯用端末機で実行される機能及びプログラムに対する情報を認知してコードイメージを生成したものであり、前記携帯用端末機は前記獲得した自動実行プログラムに対する情報（例えば、実行ファイルの位置、ファイル名）を利用して携帯用端末機の実行モード及び設定値を変更してもよい。また、前記携帯用端末機は自動実行プログラムを実行する前にコードイメージ生成情報を確認し、許可されたプログラムで生成されたコードイメージであるのかを確認してもよい。
【０１１７】
次に、前記携帯用端末機は前記ステップ８１５に進行して前記撮影したコードイメージに含まれたネットワーク設定情報に基づいて周辺装置と連結し得るネットワークインターフェースを選択して活性化した後、ネットワーク連結環境を設定する。この際、前記携帯用端末機は無線ネットワークを検索して連結するステップ、ネットワームアドレスを入力するステップ、保安設定ステップなどを行ってネットワーク連結環境を設定する。
【０１１８】
次に、前記携帯用端末機はステップ８１７に進行して周辺装置へのネットワークアクセスを行った後、本アルゴリズムを終了する。
【０１１９】
前記図８ではコードイメージを介して獲得した自動実行プログラム情報を利用してネットワークを連結する前に前記携帯用端末機の設定及びモードを変更することを例に挙げて説明したが、本発明によって前記周辺装置とネットワークを連結する前に特定プログラムを実行して待機することでネットワークの連結と同時に周辺装置との連動を行うことができる。一例に、前記携帯用端末機はコードイメージを介して同期化プログラムを予め実行した後、ネットワークの連結と同時にデータの同期化を行うことができる。
【０１２０】
上述したように本発明は携帯用端末機のネットワーク連結過程を単純化するための装置及び方法に関するものであり、周辺装置で生成したコードイメージから獲得したネットワーク情報でネットワーク連結を行うことで、ネットワーク設定情報の入力ミス及び保安キーの露出問題を解決することができる。
【０１２１】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【符号の説明】
【０１２２】
１００…  制御部
１０２…  コードイメージ生成部
１０４…  情報収集部
１０６…  コードイメージ分析部
１０８…  イメージ獲得部
１１０…  メモリ部
１１２…  入力部
１１４…  表示部
１１６…  通信部
４０１…  ２次元バーコード
５０１…  端末機
５０３…  ＡＰ
５０５…  ＰＣ
６０１…  端末機
６０３…  ＴＶ
７０１…  端末機
７０３…  端末機
【図１】
2014511630.tif 000005
【図２】
2014511630.tif 000006
【図３】
2014511630.tif 000007
【図４Ｂ】
2014511630.tif 000008
【図５】
2014511630.tif 000009
【図６】
2014511630.tif 000010
【図７】
2014511630.tif 000011
【図８】
2014511630.tif 000012
【図４Ａ】
2014511630.tif 000013
【国際調査報告】
2014511630.tif 000014
2014511630.tif 000015